(57)【要約】【課題】部外者が屋外引き戸のガラスの錠対応部分を割ること自体を可及的に防止して引き戸の防犯機能を向上することができるとともに、結露が発生しても引き戸から早期に離脱することのない引き戸錠用防犯カバーを提供する。【解決手段】本発明の引き戸錠用防犯カバー１は、屋内引き戸３の縦枠７に取り付け可能な取付プレート１５と、その縦枠７の枠外側面に取り付けられた引き戸錠４を屋外側から見えないように隠すために前記取付プレート１５の幅方向一端側に設けられたカバープレート１５とを備えたものである。【選択図】      図１
2005016280.tif 000002
【特許請求の範囲】
【請求項１】
屋内引き戸の縦枠に取り付け可能な取付プレートと、その縦枠の枠外側面に取り付けられた引き戸錠を屋外側から見えないように隠すために前記取付プレートの幅方向一端側に設けられたカバープレートとを備えていることを特徴とする引き戸錠用防犯カバー。
【請求項２】
取付プレートは、引き戸錠の取付台を屋内引き戸の縦枠に取り付けるための取付ねじを挿通可能な幅寸法を有しかつ当該取付プレートの縁部に開口する逃げ溝部を備えていることを特徴とする請求項１に記載の引き戸錠用防犯カバー。
【請求項３】
引き戸錠を側方から見えないように隠すために室内側に延びる立ち上がり片がカバープレートの先端部に形成されていることを特徴とする請求項１又は２に記載の引き戸錠用防犯カバー。
【発明の詳細な説明】
【０００１】
【発明の属する技術分野】
本発明は、屋内引き戸の縦枠に取り付けることで防犯機能を向上できる引き戸錠用防犯カバーに関する。
【０００２】
【従来の技術】
例えば、家屋の窓部やバルコニー等におけるアルミサッシよりなる引き戸装置には、部外者が屋内へ侵入するのを防止するための本締まり錠としてクレセント錠が広く採用されている。しかし、上記クレセント錠による施錠だけでは、屋外引き戸のガラスの錠対応部分だけを割って当該クレセント錠を解錠すれば、部外者が比較的容易に侵入できることが知られている。
そこで、本願出願人は、両引き戸の本締まり錠（クレセント錠）を屋外側から見えなくなるように覆うことができかつ屋外引き戸のガラスに貼り付け可能なプレート本体と、このプレート本体の裏面に設けられた接着層とを備えている防犯プレートを既に提案している（特許文献１参照）。
【０００３】
この防犯プレートによれば、屋外引き戸のガラスにおける本締まり錠の対応部分にプレート本体を貼り付けることで、本締まり錠を解錠するのに必要なガラスを割る範囲が拡大することになる。このため、泥棒等の部外者が屋外引き戸のガラスの錠対応部分を割るのを諦めて退散する蓋然性が大きくなり、部外者が屋外引き戸のガラスの錠対応部分を割ること自体を可及的に防止できるので、引き戸の防犯機能を大幅に向上することができる。
【０００４】
【特許文献１】
特開２０００−３０６１７３号（請求項１）
【０００５】
【発明が解決しようとする課題】
しかしながら、プレート本体を屋外引き戸のガラスに直接貼り付けて使用する従来の防犯プレートでは、屋外引き戸のガラス面に発生した結露によってプレート本体の裏面に設けられた接着層の接着性能が低下することがあり、特に寒冷地等において当該防犯プレートが早期に剥がれてしまう恐れがある。
そこで、本発明の課題は、部外者が屋外引き戸のガラスの錠対応部分を割ること自体を可及的に防止して引き戸の防犯機能を向上することができるとともに、結露が発生しても引き戸から早期に離脱することのない引き戸錠用防犯カバーを提供する点にある。
【０００６】
【課題を解決するための手段】
本発明の引き戸錠用防犯カバーは、屋内引き戸の縦枠に取り付け可能な取付プレートと、その縦枠の枠外側面に取り付けられた引き戸錠を屋外側から見えないように隠すために前記取付プレートの幅方向一端側に設けられたカバープレートとを備えていることを特徴とする。
【０００７】
かかる本発明の防犯カバーによれば、屋外引き戸の縦枠に取付プレートを取り付けることにより、その取付プレートの幅方向一端側に設けられたカバープレートによって引き戸錠が屋外側から見えないように隠され、このカバープレートよりも広い範囲で屋外引き戸のガラスを割らない限り引き戸錠を解錠できなくなる。このため、当該防犯カバーを取り付けていない場合に比べて、引き戸錠を解錠するのに必要なガラスを割る範囲が拡大することになり、泥棒等の部外者が屋外引き戸のガラスの錠対応部分を割るのを諦めて退散する蓋然性が大きくなる。
【０００８】
また、本発明の防犯カバーによれば、その取付プレートを屋内引き戸の縦枠に取り付けるようにしているので、屋外引き戸のガラスに結露が発生しても、その結露で取付プレートの縦枠に対する取り付け力が低下することがない。このため、屋外引き戸に発生した結露が原因で防犯カバーが屋内引き戸から早期に離脱することがなくなり、当該防犯カバーの強固な取付状態を長期間維持することができる。
【０００９】
本発明において、屋内引き戸の縦枠に対する取付プレートの取付手段は、接着剤やねじ止め等の一般的な手法を採用することができるが、取付プレートをねじ止めによって取り付ける場合には、当該取付プレートは、引き戸錠の取付台を屋内引き戸の縦枠に取り付けるための取付ねじを挿通可能な幅寸法を有しかつ当該取付プレートの縁部に開口する逃げ溝部を備えていることが好ましい。
【００１０】
このような逃げ溝部を取付プレートに形成した場合には、かかる取付プレートを屋内引き戸の縦枠と引き戸錠の取付台の間で挟み込んだ状態で、当該取付プレートを屋内引き戸の縦枠に取り付けることができる。このため、屋内引き戸の縦枠に新たにねじ孔を形成しなくても取付プレートのねじ止めが可能となるので、屋内引き戸の縦枠をまったく傷つ付けないで取付プレートを強固に固定できるようになる。
【００１１】
また、本発明において、引き戸錠を側方から見えないように隠すために室内側に延びる立ち上がり片をカバープレートの先端部に形成することが好ましい。かかる立ち上がり片をカバープレートの先端部に形成しておけば、屋外引き戸の真正面からだけでなく、真正面からやや斜めにずれた方向からも引き戸錠が見えなくなるので、当該防犯カバーによる防犯機能をより向上することができる。
【００１２】
【実施例】
以下、図面に基づいて本発明の実施例を説明する。
図１〜図３は、本発明の一実施形態に係る防犯カバー１を示しており、この実施形態では、家屋の窓部やバルコニー等に設置されるアルミサッシよりなる引き戸装置に防犯カバー１を使用した場合を示している。
【００１３】
この場合の引き戸装置は、図外のサッシ枠に互いに引き違い状となるように走行自在に嵌め込まれた屋外引き戸２及び屋内引き戸３と、これらの両引き戸２，３を本締めするためのクレセント錠（本締まり錠としての引き戸錠）４とを備えており、両引き戸２，３の枠内には矩形板状の透明又は半透明のガラス５が嵌め込まれている。上記クレセント錠４は、屋外引き戸２の縦枠６の枠内端面に固定された被掛止爪８と、屋内引き戸３の縦枠７の枠外端面に固定された錠本体９と、を備えている。
【００１４】
このうち、錠本体９は、上記縦枠７の枠外端面に固定されたほぼ台形状の取付台１０と、この取付台１０に横軸回りに回転自在に枢着された円弧状のロックプレート１１と、このロックプレート１１に固定された操作レバー１２とを備えており、この操作レバー１２を上方へ回してロックプレート１１を前記被掛止爪８に引っ掛けることにより、屋内外方向に重なる縦枠６，７同士を互いに連結し、これによって両引き戸２，３を本施錠できるようになっている。
【００１５】
図１に示すように、本実施形態の防犯カバー１は、ステンレス製の板材を断面ほぼコの字状に屈曲形成することによって構成されており、屋内引き戸３の縦枠７に取り付け可能な取付プレート１５と、前記クレセント錠４を屋外側から見えないように隠すために取付プレート１５の幅方向一端側に設けられたカバープレート１６とを一体に備えている。
【００１６】
本実施形態の防犯カバー１を構成する上記両プレート１５，１６のうち、取付プレート１５は、屋内引き戸３の縦枠７とほぼ同幅でかつ前記取付台１０より大きい上下方向長さを有するほぼ長方形状の板部材よりなり、この取付プレート１５には、その下端縁に向かって開口する逃げ溝部１７が形成されている。この逃げ溝部１７は、前記クレセント錠４の取付台１０を屋内引き戸３の縦枠７に取り付けるための取付ねじ１８を挿通可能な幅寸法を有し、取付プレート１５の上端よりの部分から下端縁に向かって真っ直ぐに延びた状態で切り込み形成されている。
【００１７】
他方、カバープレート１６は、屋外引き戸２のガラス５と相対向するように取付プレート１５の屋外側端から引き戸２，３の走行方向に沿って延設された対向片１９と、この対向片１９の先端から屋内側に延設された立ち上がり片２０とからなる。従って、図２に示すように、防犯カバー１の取り付け状態においては、引き戸錠４（ただし、被係止爪８は除く。）は、カバープレート１６の対向片１９によって正面側から見えないように隠され、かつ、同プレート１６の立ち上がり片２０によって側方（真正面からやや斜めにずれた方向）から見えないように隠されることになる。
【００１８】
なお、カバープレート１６の対向片１９の上下方向ほぼ中央部には、前記被係止爪８との干渉を避けるための逃げ開口部２１が形成されている。また、取付プレート１５とカバープレート１６とのコーナー部分と、対向片１９と立ち上がり片２０とのコーナー部分には、屋外引き戸２の縦枠６との干渉を避けるための逃げ凹条２２が形成されている。更に、カバープレート１６の立ち上がり片２０には、取付台１０の取付ねじ１８を回動操作するためのドライバー等の回動工具（図示せず。）を挿通することができる、上下方向に長い操作窓２３が形成されている。
【００１９】
次に、図１と図２を参照して、本実施形態の防犯カバー１の使用方法とその作用を説明する。
まず、上記防犯カバー１を引き戸装置に設置するには、ドライバー等の回動工具を用いて取付台１０の取付ねじ１８を緩め、その取付台１０と縦枠７の間に若干の隙間を設ける。次に、図１に示すように、上記隙間内に防犯カバー１の取付プレート１５を上から差し込み、取付台１０の取付ねじ１８を逃げ溝部１７に挿通させるようにして、取付プレート１５を取付台１０の裏側にセットする。
【００２０】
すると、図２に示すように、クレセント錠４全体が防犯カバー１で囲まれた状態となるので、この状態で、操作窓２３から挿通した回動工具によって取付ねじ１８を締め付け直し、取付プレート１５を取付台１０と縦枠７の間で挟み付けることにより、防犯カバー１の設置が完了する。
図３は、上記のようにして防犯カバー１を設置した後の引き戸装置を屋外側から見た正面図であり、同図に示すように、クレセント錠４はカバープレート１６の対向片１９によって屋外側から見えないように覆われている。
【００２１】
このように、本実施形態の防犯カバー１によれば、クレセント錠４がカバープレート１６の対向片１９で屋外側から見えないように隠され、この対向片１９よりも広い範囲で屋外引き戸２のガラス５を割らない限りクレセント錠４を解錠できなくなる。このため、当該防犯カバー１を取り付けていない場合に比べて、クレセント錠４を解錠するのに必要なガラス５を割る範囲が拡大することになり、泥棒等の部外者が屋外引き戸２のガラス５の錠対応部分を割るのを諦めて退散する蓋然性が大きくなる。
【００２２】
また、本実施形態の防犯カバー１によれば、その取付プレート１５を屋内引き戸３の縦枠７に取り付けているので、屋外引き戸２のガラス５に結露が発生しても、その結露で取付プレート１５の縦枠７に対する取り付け力が低下することがない。更に、本実施形態の防犯カバー１では、カバープレート１６の先端部に形成した立ち上がり片２０により、屋外引き戸２の真正面からだけでなく、真正面からやや斜めにずれた方向からもクレセント錠４が見えなくなるので、当該防犯カバー１による防犯機能がより向上するという利点もある。
なお、本発明は上記実施形態に限定されるものではない。
【００２３】
【発明の効果】
本発明によれば、部外者が屋外引き戸のガラスの錠対応部分を割ること自体を可及的に防止できるので、引き戸の防犯機能を向上することができるとともに、結露が発生しても防犯カバーが引き戸から早期に離脱することがないので、当該防犯カバーの強固な取付状態を長期間維持することができる。
【図面の簡単な説明】
【図１】本発明の防犯カバーを引き戸装置に取り付ける際の斜視図である。
【図２】本発明の防犯カバーを引き戸装置に取り付けた後の状態を示す斜視図である。
【図３】本発明の防犯カバーを取り付けた引き戸装置を屋外側から見た正面図である。
【符号の説明】
１      防犯カバー
２      屋外引き戸
３      屋内引き戸
４      クレセント錠（引き戸錠）
５      ガラス
６      縦枠（屋外側）
７      縦枠（屋内側）
１０      取付台
１５      取付プレート
１６      カバープレート
１７      逃げ溝部
１８      取付ねじ
１９      対向片
２０      立ち上がり片
【図１】
2005016280.tif 000003
【図２】
2005016280.tif 000004
【図３】
2005016280.tif 000005